(57)【要約】      （修正有）【課題】身体の片側がまひしているため、車椅子又は肘かけ付椅子に坐った時、肘かけに腕を置いておく事ができず、すぐに肘かけから腕がずり落ち、身体が片寄り、正しい姿勢を保つことが出来ないため、まひした腕を肘かけに固定するためのベルトを提供する。【解決手段】肘かけ用ベルト１と腕用ベルト２を連結用円形マジックテープ３で連結することにより、腕は肘かけに固定できる。【選択図】図１
0003109028.tif 000002
【実用新案登録請求の範囲】
【請求項１】
肘かけ用ベルトと腕用ベルトの二部分をマジックテープで連結することにより、まひした腕を車椅子又は肘かけ付椅子の肘かけに固定できるようにした腕固定ベルト。
【考案の詳細な説明】
【技術分野】
【０００１】  本考案は、まひしている側の腕を車椅子又は肘かけ付椅子の肘かけに固定させるため、肘かけに巻附けるための肘かけ用ベルトと、腕に巻くための腕用ベルトからなり、その二部分が連結されており、褥瘡予防のため綿入り布等柔軟性のある素材で作られている腕を固定するためのベルトである。
【背景技術】
【０００２】  従来は、車椅子又は肘かけ付椅子に坐った時まひしている腕を、肘かけに固定するためのベルトはなかった。
【考案の開示】
【０００３】  本考案は肘かけ用ベルトと腕用ベルトの二部分をマジックテープで連結することにより、まひした腕を車椅子又は肘かけ付椅子の肘かけに固定できるようにした腕固定ベルトである。
【考案が解決しようとする課題】
【０００４】  身体の片側がまひしているため、車椅子又は肘かけ付椅子に坐った時、肘かけに腕を置いておく事ができず、すぐに肘かけから腕がずり落ち、身体が片寄り、止しい姿勢を保つことが出来ない。
【課題を解決するための手段】
【０００５】  まひしている側の腕を車椅子又は肘かけ付椅子の肘かけに固定させるため、肘かけ用ベルトは肘かけに巻附けマジックテープで止め、腕用ベルトは腕に巻きマジックテープで止める。この二部分もマジックテープで連結することにより腕は肘かけに固定される。肘かけ用ベルトと腕用ベルトを連結する時円形のマジックテープを使用する事により腕を固定する角度を自由に変更することが出来る。褥瘡予防のため綿入り布等柔軟性のある素材を使用する。
【考案の効果】
【０００６】  考案したベルトを使用する以前は腕がずり落ちて身体が片寄り正しい姿勢が保てなかったが、ベルト使用後は両腕を同じように肘かけに置くことが出来るので正しい姿勢が保てるようになった。
【考案を実施するための最良の形態】
【０００７】  肘かけ用ベルト１の両端表と裏にマジックテープ４、５を縫いつけ、肘かけに巻附けて止められるようにする。又腕用ベルト２の両端表と裏にマジックテープ６、７を縫いつけ、腕に巻いて止められるようにする。二つの部分を連結させるための円形マジックテープ３を１と２の表と裏に縫いつける。連結用マジックテープ３を円形にする事により、腕を固定する角度を自由に変更することが出来る。褥瘡予防のため綿入り布等柔軟性のある素材を使用する。
【産業上の利用可能性】
【０００８】  従来は、車椅子又は肘かけ付椅子に坐った時まひしている腕を肘かけに固定するためのベルトはなかった。
【図面の簡単な説明】
【０００９】
【図１】本考案の実施形態におけるベルトを示した平面図である。
【図２】本考案の実施形態におけるベルトを示した斜視図である。
【図３】本考案の使用状態を示した斜視図である。
【符号の説明】
【００１０】  １  肘かけ用ベルト
２  腕用ベルト
３  連結用円形マジックテープ
４  肘かけ用ベルトマジックテープ表
５  肘かけ用ベルトマジックテープ裏
６  腕用ベルトマジックテープ表
７  腕用ベルトマジックテープ裏
【図１】
0003109028.tif 000003
【図２】
0003109028.tif 000004
【図３】
0003109028.tif 000005
【手続補正書】
【提出日】平成16年10月30日(2004.10.30)
【手続補正１】
【補正対象書類名】実用新案登録請求の範囲
【補正対象項目名】全文
【補正方法】変更
【補正の内容】
【実用新案登録請求の範囲】
【請求項１】
肘かけ用ベルトと腕用ベルトの二部分を面ファスナーで連結することにより、まひした腕を車椅子又は肘かけ付椅子の肘かけに固定できるようにした腕固定ベルト。
【手続補正２】
【補正対象書類名】明細書
【補正対象項目名】全文
【補正方法】変更
【補正の内容】
【考案の詳細な説明】
【技術分野】
【０００１】  本考案は、まひしている側の腕を車椅子又は肘かけ付椅子の肘かけに固定させるため、肘かけに巻附けるための肘かけ用ベルトと、腕に巻くための腕用ベルトからなり、その二部分が連結されており、褥瘡予防のため綿入り布等柔軟性のある素材で作られている腕を固定するためのベルトである。
【背景技術】
【０００２】  従来は、車椅子又は肘かけ付椅子に坐った時まひしている腕を、肘かけに固定するためのベルトはなかった。
【考案の開示】
【０００３】  本考案は肘かけ用ベルトと腕用ベルトの二部分を面ファスナーで連結することにより、まひした腕を車椅子又は肘かけ付椅子の肘かけに固定できるようにした腕固定ベルトである。
【考案が解決しようとする課題】
【０００４】  身体の片側がまひしているため、車椅子又は肘かけ付椅子に坐った時、肘かけに腕を置いておく事ができず、すぐに肘かけから腕がずり落ち、身体が片寄り、正しい姿勢を保つことが出来ない。
【課題を解決するための手段】
【０００５】  まひしている側の腕を車椅子又は肘かけ付椅子の肘かけに固定させるため、肘かけ用ベルトは肘かけに巻附け面ファスナーで止め、腕用ベルトは腕に巻き面ファスナーで止める。この二部分も面ファスナーで連結することにより腕は肘かけに固定される。肘かけ用ベルトと腕用ベルトを連結する時円形の面ファスナーを使用する事により腕を固定する角度を自由に変更することが出来る。褥瘡予防のため綿入り布等柔軟性のある素材を使用する。
【考案の効果】
【０００６】  考案したベルトを使用する以前は腕がずり落ちて身体が片寄り正しい姿勢が保てなかったが、ベルト使用後は両腕を同じように肘かけに置くことが出来るので正しい姿勢が保てるようになった。
【考案を実施するための最良の形態】
【０００７】  肘かけ用ベルト１の両端表と裏に面ファスナー４、５を縫いつけ、肘かけに巻附けて止められるようにする。又腕用ベルト２の両端表と裏に面ファスナー６、７を縫いつけ、腕に巻いて止められるようにする。二つの部分を連結させるための円形面ファスナー３を１と２の表と裏に縫いつける。連結用面ファスナー３を円形にする事により、腕を固定する角度を自由に変更することが出来る。褥瘡予防のため綿入り布等柔軟性のある素材を使用する。
【産業上の利用可能性】
【０００８】  従来は、車椅子又は肘かけ付椅子に坐った時まひしている腕を肘かけに固定するためのベルトはなかった。
【図面の簡単な説明】
【０００９】
【図１】本考案の実施形態におけるベルトを示した平面図である。
【図２】本考案の実施形態におけるベルトを示した斜視図である。
【図３】本考案の使用状態を示した斜視図である。
【符号の説明】
【００１０】  １  肘かけ用ベルト
２  腕用ベルト
３  連結用円形面ファスナー
４  肘かけ用ベルト面ファスナー表
５  肘かけ用ベルト面ファスナー裏
６  腕用ベルト面ファスナー表
７  腕用ベルト面ファスナー裏